(57)【要約】【課題】溶接健全性の証明データを容易にトレースできるように溶接作業を記録すること。【解決手段】溶接記録生成装置７は、溶接の開先形状を含む溶接方法を溶接方法データベース７７から選択させる溶接方法指定部７２と、溶接方法指定部７２で選択された溶接方法を実行するときに、各層および各パスについて、溶接ビードの溶接開始および溶接終了のタイミングを溶接作業者の操作から受け付け、溶接開始から溶接終了までの溶接時間における計測データと、各層および各パスを特定する識別番号とを対応付けた溶接記録データ７８として記録する溶接記録部７３と、溶接の開先形状に対して、溶接記録データ７８の各層および各パスを特定する識別番号を溶接の順序に沿って記載した積層図データ７９を作成し、溶接記録データ７８と対応付けて記録する積層図生成部７４と、を有する。【選択図】  図５
2020189304.tif 000002
【特許請求の範囲】
【請求項１】
溶接の開先形状を含む溶接方法を溶接方法データベースから選択させる溶接方法指定部と、
前記溶接方法指定部で選択された溶接方法を実行するときに、各層および各パスについて、溶接ビードの溶接開始および溶接終了のタイミングを溶接作業者の操作から受け付け、溶接開始から溶接終了までの溶接時間における計測データと、各層および各パスを特定する識別番号とを対応付けた溶接記録データとして記録する溶接記録部と、
前記溶接の開先形状に対して、前記溶接記録データの各層および各パスを特定する識別番号を溶接の順序に沿って記載した積層図データを作成し、前記溶接記録データと対応付けて記録する積層図生成部と、を有することを特徴とする
溶接記録生成装置。
【請求項２】
前記溶接記録生成装置は、さらに、表示制御部を有しており、
前記溶接記録部は、各層および各パスの溶接時間の長さと、溶接ビードの長さをもとに溶接ビードの入熱量を前記溶接記録データとして計算し、
前記表示制御部は、前記溶接記録部が計算した現溶接における溶接ビードの入熱量と、事前に登録されている入熱量の適切範囲とを併せて表示部に表示することを特徴とする
請求項１に記載の溶接記録生成装置。
【請求項３】
前記溶接記録部は、複数回の溶接作業を行う場合には、溶接作業ごとに個別の前記溶接記録データおよび前記積層図データの組み合わせデータを作成し、
複数回の溶接作業とは、同一の前記溶接作業者による複数の溶接方法による作業、同一の前記溶接作業者による複数の溶接機を使用する作業、および、複数の前記溶接作業者による作業のいずれかであることを特徴とする
請求項１に記載の溶接記録生成装置。
【請求項４】
前記溶接記録部は、溶接開始から溶接終了までの溶接時間として、前記溶接作業者の操作から受け付けた溶接時間から、溶接作業に適さない除外時間を除外したものとし、
前記除外時間は、溶接開始のアップスロープ時間、溶接終了前のダウンスロープ時間、および、溶接終了前のクレータ処理時間のうちの少なくとも１つの時間であることを特徴とする
請求項１に記載の溶接記録生成装置。
【請求項５】
請求項４に記載の溶接記録生成装置と、溶接トーチとを含めて構成される溶接制御システムであって、
前記溶接トーチには、加速度センサおよび角速度センサが取り付けられ、
前記溶接記録部は、加速度センサおよび角速度センサの変動情報から前記溶接トーチの異常動作を検出し、異常動作が検出されたアークの点弧時間も前記除外時間とすることを特徴とする
溶接制御システム。
【請求項６】
請求項１ないし請求項４のいずれか１項に記載の溶接記録生成装置と、前記溶接作業者の操作を受け付ける作業者端末とを含めて構成される溶接制御システムであって、
前記作業者端末は、溶接ビードの溶接開始および溶接終了のタイミングの入力を受け付けると、それらのタイミングを前記溶接記録生成装置に通知し、
前記溶接記録部は、通知されたタイミングに従って、各層および各パスの前記溶接記録データを記録することを特徴とする
溶接制御システム。
【請求項７】
溶接記録生成装置は、溶接方法指定部と、溶接記録部と、積層図生成部と、を有しており、
前記溶接方法指定部は、溶接の開先形状を含む溶接方法を溶接方法データベースから選択させ、
前記溶接記録部は、前記溶接方法指定部で選択された溶接方法を実行するときに、各層および各パスについて、溶接ビードの溶接開始および溶接終了のタイミングを溶接作業者の操作から受け付け、溶接開始から溶接終了までの溶接時間における計測データと、各層および各パスを特定する識別番号とを対応付けた溶接記録データとして記録し、
前記積層図生成部は、前記溶接の開先形状に対して、前記溶接記録データの各層および各パスを特定する識別番号を溶接の順序に沿って記載した積層図データを作成し、前記溶接記録データと対応付けて記録することを特徴とする
溶接記録生成方法。
【発明の詳細な説明】
【技術分野】
【０００１】
本発明は、溶接記録生成装置、溶接制御システム、および、溶接記録生成方法に関する。
【背景技術】
【０００２】
溶接作業者による溶接作業は、炭素鋼、高張力鋼、ステンレス鋼およびその他の合金を部材として、半自動のＭＩＧ（Metal Inert Gas）またはＭＡＧ（Metal Active Gas）溶接方法や、手溶接のＴＩＧ（Tungsten Inert Gas）溶接方法などにより実行される。この溶接作業の出来を決める重要なパラメータが入熱量であり、適切範囲外の入熱量は溶接金属および熱影響部に対して悪影響を及ぼすことがある。
例えば、入熱量が高すぎると、溶接金属の強度が低下し、溶接金属に割れが生じ易くなる。また、ステンレス鋼の場合で熱影響部に鋭敏化現象が生じ、耐食性が劣化することがある。一方、入熱量が低すぎると、急冷により金属組織の性能が劣化することがある。特に自動溶接と比べて、半自動溶接および手溶接の方が、安定な施工条件を維持することが困難であり、溶接不良が生じる可能性が高まる。
【０００３】
入熱量を監視するために、例えば、溶接に関する各種計測値を接続先のセンサから取得して表示したり記録したりする溶接管理モニタが用いられる。溶接管理モニタは、例えば、愛知産業株式会社の溶接管理モニタ「WCM-2」である。
各種計測値とは、例えば、溶接電流、溶接電圧、パス（層）間温度である。なお、溶接管理モニタには、有線を介して電流・電圧・温度のセンサが接続されている。ここで、多数のケーブルが配置されている溶接環境の中で作業をするため、接続線が断線してしまうと、センサの計測データを取得できない。
【０００４】
そこで、特許文献１には、溶接作業管理装置と電流及び電圧を計測するセンサユニットと溶接者用無線端末との間に、無線ネットワークを介して双方向通信可能に接続され、溶接に関するデータの処理及び管理を行い、溶接の合否を判定する溶接条件自動計測記録システムが開示されている。
【先行技術文献】
【特許文献】
【０００５】
【特許文献１】特開２０１０−１１０７８２号公報
【発明の概要】
【発明が解決しようとする課題】
【０００６】
溶接を終えて作成された製品に対して割れなどの欠陥が見つかった場合、その欠陥を生じさせてしまった原因を事後的に追及（トレース）することが溶接作業の品質改善に役立つ。よって、トレーサビリティ（追跡可能性）に優れた溶接作業の記録システムが望まれる。
例えば、溶接金属の中央部に割れを発見した場合、その中央部における溶接記録だけを大量の溶接記録から絞り込んで容易にアクセスできるようなデータ構造として事前に記録しておくことにより、欠陥への原因究明を効率的に行うことができる。
【０００７】
一方、特許文献１などの従来の溶接記録システムでは、現在作業中の溶接の合否判定をすることはできるが、作業後のトレーサビリティは考慮されておらず、事後的な原因究明には不向きである。
【０００８】
そこで、本発明は、溶接健全性の証明データを容易にトレースできるように溶接作業を記録することを、主な課題とする。
【課題を解決するための手段】
【０００９】
前記課題を解決するために、本発明の溶接記録生成装置は、以下の特徴を有する。
本発明は、溶接の開先形状を含む溶接方法を溶接方法データベースから選択させる溶接方法指定部と、
前記溶接方法指定部で選択された溶接方法を実行するときに、各層および各パスについて、溶接ビードの溶接開始および溶接終了のタイミングを溶接作業者の操作から受け付け、溶接開始から溶接終了までの溶接時間における計測データと、各層および各パスを特定する識別番号とを対応付けた溶接記録データとして記録する溶接記録部と、
前記溶接の開先形状に対して、前記溶接記録データの各層および各パスを特定する識別番号を溶接の順序に沿って記載した積層図データを作成し、前記溶接記録データと対応付けて記録する積層図生成部と、を有することを特徴とする。
その他の手段は、後記する。
【発明の効果】
【００１０】
本発明によれば、溶接健全性の証明データを容易にトレースできるように溶接作業を記録することができる。
【図面の簡単な説明】
【００１１】
【図１】本発明の一実施形態に関する溶接制御システムの構成図である。
【図２】本発明の一実施形態に関する溶接部材から作成される製品の斜視図である。
【図３】本発明の一実施形態に関するＭＩＧまたはＭＡＧ消耗電極用の溶接トーチを示す。
【図４】本発明の一実施形態に関するＴＩＧ非消耗電極用の溶接トーチを示す。
【図５】本発明の一実施形態に関する溶接記録生成装置の構成図である。
【図６】本発明の一実施形態に関する溶接部材の第１状態を示す斜視図である。
【図７】本発明の一実施形態に関する溶接部材の第２状態を示す斜視図である。
【図８】本発明の一実施形態に関する溶接部材の第３状態を示す斜視図である。
【図９】本発明の一実施形態に関する溶接部材の第４状態を示す斜視図である。
【図１０】本発明の一実施形態に関する溶接部材のＸＺ側面図である。
【図１１】本発明の一実施形態に関する図１０の溶接部材に対して溶接後の積層図データである。
【図１２】本発明の一実施形態に関する図１１の積層図データに対応して記録された溶接記録データである。
【図１３】本発明の一実施形態に関する溶接処理を示すフローチャートである。
【図１４】本発明の一実施形態に関する図１３から続く溶接処理を示すフローチャートである。
【図１５】本発明の一実施形態に関する溶接方法の選択処理の画面図である。
【図１６】本発明の一実施形態に関する開先形状の選択処理の画面図である。
【図１７】本発明の一実施形態に関する溶接方向に対する溶着法の選択処理の画面図である。
【図１８】本発明の一実施形態に関する各層でのパス数の入力処理の画面図である。
【図１９】本発明の一実施形態に関する１層目１パス目の記録開始処理の画面図である。
【図２０】本発明の一実施形態に関する１層目１パス目の記録終了処理の画面図である。
【図２１】本発明の一実施形態に関する１層目２パス目の記録開始処理の画面図である。
【図２２】本発明の一実施形態に関する１層目２パス目の記録終了処理の画面図である。
【図２３】本発明の一実施形態に関する積層図データの表示処理の画面図である。
【図２４】本発明の一実施形態に関する図１９の状態から図２０の状態までの間に、不安定な時間において記録が停止されたときの画面図である。
【発明を実施するための形態】
【００１２】
以下、本発明の一実施形態を、図面を参照しつつ説明する。
【００１３】
図１は、溶接制御システムの構成図である。溶接制御システムは、溶接機１と、溶接トーチ３と、溶接条件コントローラ４と、ワイヤ送給装置５と、作業者端末６と、溶接記録生成装置７と、温度計９とを含めて構成される。
【００１４】
溶接作業者は、溶接現場監督者の指示に従い溶接トーチ３で溶接ビード１１を形成することで、製品２を作成する。または、溶接トーチ３の自動走行装置より溶接ビード１１を形成する自動溶接施工としてもよい。
溶接作業者は、溶接トーチ３に加え、個人用の無線端末である作業者端末６と、溶接機１を設定するための溶接条件コントローラ４とを操作する。また、溶接作業における溶接トーチ３付近の温度を測定する温度センサ９ｓと、その温度センサ９ｓで測定した温度を表示する温度計９も、溶接作業者の付近に備えられている。
【００１５】
溶接機１は、ワイヤ送給装置５を介して溶接トーチ３にアーク放電を発生させるための電力を供給する。溶接機１には、操作パネル１ｄが設けられており、この操作パネル１ｄを介しても、溶接条件コントローラ４と同様に、供給する電力（電流・電圧）などの溶接条件を溶接機１に設定できる。
【００１６】
溶接記録生成装置７は、溶接機１ごとに設置され、溶接機１と直接接続されている。溶接記録生成装置７は、溶接機１の電流・電圧の信号、および、温度計９の温度の信号を受け、溶接作業のデータとして記録する。溶接記録生成装置７には表示部７ｄが備えられており、その表示画面上でタッチ操作およびＩＮ/ＯＵＴインタフェース８のマイクを介した音声識別システムによる操作にも対応する。
【００１７】
無線ネットワーク１０は、作業者端末６と溶接記録生成装置７との間での相互通信を可能とする。この相互通信により、表示部７ｄの表示画面と同じ画面を作業者端末６のタッチパネルにも表示したり、作業者端末６のマイクから入力された音声信号などの入力信号を、ＩＮ/ＯＵＴインタフェース８から入力されたものとして溶接記録生成装置７に処理させたりすることができる。つまり、作業者端末６は、溶接記録生成装置７の遠隔操作端末として用いることができる。
【００１８】
図２は、溶接部材から作成される製品２の斜視図である。３つの母材２ａ，２ｂ，２ｃを組み合わせて、それぞれの接続部を溶接ビード１１で接続することにより、溶接作業者は、１つの製品２を作成する。
【００１９】
図３は、溶接トーチ３の第１例として、ＭＩＧまたはＭＡＧ消耗電極用の溶接トーチ３ａを示す。
溶接トーチ３ａは、消耗電極３３と、ボディ３４と、供電スイッチ３５と、電源ケーブル３６とを含めて構成される。ボディ３４の内部には、加速度センサ、角速度センサ、および、制御回路などを含めた制御機構３２が備えられている。
【００２０】
図４は、溶接トーチ３の第２例として、ＴＩＧ非消耗電極用の溶接トーチ３ｂを示す。
溶接トーチ３ｂは、非消耗電極３８と、ボディ３７と、溶接スイッチ３９と、溶接スイッチケーブル４０と、非消耗電極溶接電源ケーブル４１とを含めて構成される。ボディ３７の内部には、図３と同様に制御機構３２が備えられている。
溶接トーチ３ａの電源ケーブル３６、および、溶接トーチ３ｂの非消耗電極溶接電源ケーブル４１は、それぞれ長時間の溶接作業ができるように供電用回線を備えるとともに、制御機構３２の各センサの計測結果を溶接記録生成装置７に送信するための専有回線を備える。
溶接記録生成装置７は、専有回線から送信された計測結果から、アークの溶接時間を計測する。
【００２１】
図５は、溶接記録生成装置７の構成図である。
溶接記録生成装置７は、ＣＰＵ（Central Processing Unit）と、メモリと、ハードディスクなどの記憶手段（記憶部）と、ネットワークインタフェースとを有するコンピュータとして構成される。
このコンピュータは、ＣＰＵが、メモリ上に読み込んだプログラム（アプリケーションや、その略のアプリとも呼ばれる）を実行することにより、各処理部により構成される制御部（制御手段）を動作させる。
溶接記録生成装置７は、処理部として、作業確認部７１と、溶接方法指定部７２と、溶接記録部７３と、積層図生成部７４と、表示制御部７５とを有する。また、溶接記録生成装置７は、作業データベース７６と、溶接方法データベース７７と、溶接記録データ７８と、積層図データ７９とを記憶部に記憶する。
【００２２】
作業確認部７１は、事前に溶接技術管理者により用意される作業データベース７６の登録内容を、作業者端末６を介して溶接作業者に確認させる。作業データベース７６には、例えば、以下に列挙するような溶接作業に関する情報が登録されている。
（ａ）溶接作業内容（製品名、作業名、作業番号、溶接手順、溶接部材に関する部材番号、材料、形状、寸法、継手番号など）
（ｂ）溶接作業者情報（溶接現場監督者が溶接作業内容に割り当てた溶接作業者、溶接作業内容に要する溶接士資格および有効期間など）
（ｃ）溶接施工条件を示す溶接施工データシート（先行機の溶接条件、作業場内の溶接機の配置位置など）
【００２３】
溶接方法指定部７２は、作業者端末６を介して溶接作業者から今回の溶接に関する各種設定（溶接方法など）の指定を受ける。この各種設定は、事前に溶接方法データベース７７に用意された設定から、溶接作業者は画面で選択することができる。
溶接記録部７３は、溶接作業者が溶接中の各種測定値を溶接記録データ７８に記録する。
積層図生成部７４は、溶接記録データ７８と連動して、溶接した製品２の側面図としての積層図データ７９を生成する。
表示制御部７５は、溶接記録データ７８と積層図データ７９とを表示部７ｄや作業者端末６に画面表示することで、溶接技術管理者などに溶接作業の詳細を把握させる。
【００２４】
以下、図６〜図１２を参照して、溶接記録データ７８と積層図データ７９とのデータの詳細と、そのデータに用いられる基本用語の定義を行う。
図６は、溶接部材の第１状態を示す斜視図である。作業データベース７６の（ａ）溶接作業内容として指定される溶接部材は、例えば、２つの板状の母材２１１，２１２である。２つの母材２１１，２１２を１つの金属板のように接合するために、溶接作業が行われる。以下、母材２１１の輪郭２１９Ｌと、母材２１２の輪郭２１９Ｒとを用いて説明する。
【００２５】
図７は、溶接部材の第２状態を示す斜視図である。輪郭２１９Ｌ，２１９Ｒ間をＸ軸方向に密着させることで、母材２１１，２１２の位置が溶接用に固定される。輪郭２１９Ｌ，２１９Ｒ間には、溶接部材が流れ込む先となる溝が「開先」として形成される。図７の開先は、アルファベットのＸ字のような形状の開先なので、Ｘ開先と呼ばれる。この「Ｘ開先」は、溶接方法データベース７７に用意された設定の一例である。
【００２６】
図８は、溶接部材の第３状態を示す斜視図である。ハッチング部で示すように、図７のＸ開先の交差部よりＺ軸上側（表側）に、アークの発熱により溶け出した溶接材（ビード）が１本分付加されている。Ｘ開先の空間は広いので、さらにビードを付加する必要がある。
なお、単位「パス」とは、開先のＹ軸マイナス方向の端点からＹ軸プラス方向の端点までを通過する１本分の幅のビードである。図８では、１パス分を１本のビードで構成することとしたが、１パスの１／３長ずつ短いビードを流し、合計３本で１パスを形成するなど、複数のビードで１パスを形成する方法もある。
【００２７】
図９は、溶接部材の第４状態を示す斜視図である。図８の状態から、さらにビードを増やした結果、輪郭２１９Ｌ，２１９Ｒ間のＸ開先を埋め尽くすようにビードが複数本付加（積層）されている。
なお、単位「層」とは、開先のＺ軸方向に積層されるビードの数を示す。例えば、図９では、Ｘ開先の交差部よりも表側（Ｚ軸上側）に３層の溶接が積層されており、裏側（Ｚ軸下側）に３層の溶接が積層されている。
表側の第１層（表１層）は１パスで構成され、表２層は２パスで構成され、表３層は３パスで構成される。同様に、裏側の第１層（裏１層）は１パスで構成され、裏２層は２パスで構成され、裏３層も３パスで構成される。
このように開先をビードで積層することにより、２つの母材２１１，２１２が１つの金属板のように接合される。
【００２８】
図１０は、溶接部材のＸＺ側面図である。母材２１１の輪郭２１９Ｌと、母材２１２の輪郭２１９ＲとがＸ開先を形成し、その交差部２１５を中心として、表側の開先空間２１３と、裏側の開先空間２１４とが形成される。
図１１は、図１０の母材２１１，２１２に対して溶接後の積層図データ７９である。積層図データ７９は、表側の開先空間２１３に積層された各パスに、表側の溶接順を示すパスの識別番号（「１」〜「１３」）が割り当てられる。同様に、裏側の開先空間２１４に積層された各パスにも、裏側の溶接順を示すパスの識別番号（「１」〜「９」）が割り当てられる。
【００２９】
図１２は、図１１の積層図データ７９に対応して記録された溶接記録データ７８である。
溶接記録データ７８は、図１１に示した各層の各パス番号ごとに記録される。溶接記録データ７８は、溶接トーチ３に供給された電力（電流・電圧）と、溶接トーチ３の移動量から求まる溶接速度と、温度計９が計測した予熱・パス間温度（予熱温度、パス間温度）と、溶接ビード１１に噴射されるシールドガス流量と、アーク放電の入熱量とが対応付けて記録されたデータである。
この溶接記録データ７８の各データの記録処理の詳細は、図１３以降のフローチャートの説明で明らかにする。
【００３０】
図１３は、溶接処理を示すフローチャートである。図１３の端点Ａから図１４の処理に続く。
溶接作業者は、溶接現場監督者から作業開始前に溶接作業内容の指示を受ける。溶接作業者は、指示された内容の通りに、溶接機１、製品２、溶接トーチ３などを準備する。以下、Ｓ１０１〜Ｓ１０３は、作業データベース７６の登録内容を用いた溶接作業者の前準備である。
【００３１】
Ｓ１０１として、作業確認部７１は、作業データベース７６の（ａ）溶接作業内容を作業者端末６に表示する。なお、表示先は作業者端末６でもよいし、溶接記録生成装置７の表示部７ｄでもよい（以下、表示先を作業者端末６として説明する）。これにより、溶接作業者は、作業名、作業場所、溶接方法の種類などの溶接作業内容を確認できる。
Ｓ１０２として、作業確認部７１は、作業データベース７６の（ｂ）溶接作業者情報を作業者端末６に表示する。これにより、溶接作業者は、Ｓ１０１で確認した作業を担当する溶接士氏名が正しいか（自分になっているか）、溶接士資格は適切か（自分のスキルで充分か）などを確認できる。
Ｓ１０３として、作業確認部７１は、作業データベース７６の（ｃ）溶接施工データシートを作業者端末６に表示する。これにより、溶接作業者は、表示された溶接条件をもとに、溶接条件コントローラ４を介して溶接機１に溶接条件などを設定できる。
【００３２】
図１５は、溶接方法の選択処理（Ｓ１１１）の画面図である。
溶接方法指定部７２は、溶接方法の選定画面１１０を作業者端末６に表示し、溶接作業者に溶接方法を選択させる。
溶接方法の選定画面１１０には、選択欄１１３の選択候補として、手動ＴＩＧ溶接、ＭＩＧ・ＭＡＧ半自動溶接、被覆アーク溶接、組み合わせ溶接が示されており、太枠で囲まれた手動ＴＩＧ溶接が現在選択されている。以降の画面図でも同様に、太枠で囲まれた要素が選択されている要素である。なお、画面内の選択操作は、画面のタッチでもよいし、音声入力でもよい。
なお、図示しない他の選択候補は、例えば、レーザ溶接、プラズマ溶接、サブマージドアーク溶接などが挙げられ、各選択候補は溶接方法データベース７７に事前に登録されている。さらに、溶接方法の選定画面１１０には、前画面（図示省略したメインメニュー画面）に戻る矢印ボタン１１１と、次画面（図１６の画面）に進む矢印ボタン１１２とが含まれている。
【００３３】
図１６は、開先形状の選択処理（Ｓ１１２）の画面図である。
溶接方法指定部７２は、開先形状の選定画面１２０を作業者端末６に表示し、溶接作業者に開先形状を選択させる。
開先形状の選定画面１２０には、選択欄１２３の選択候補として、Ｉ開先、Ｖ開先、Ｕ開先、Ｊ開先、Ｋ開先、Ｘ開先、Ｈ開先、隅肉溶接が示されており、太枠で囲まれたＸ開先が現在選択されている（図７で前記したとおり）。
各選択候補は溶接方法データベース７７に事前に登録されている。さらに、開先形状の選定画面１２０には、前画面（図１５の画面）に戻る矢印ボタン１２１と、次画面（図１７の画面）に進む矢印ボタン１２２とが含まれている。
【００３４】
図１７は、溶接方向に対する溶着法の選択処理（Ｓ１１３）の画面図である。
溶接方法指定部７２は、溶着法の選択画面１３０を作業者端末６に表示し、溶接作業者に溶着法を選択させる。
溶着法の選択画面１３０には、Ｓ１１２で選択されたＸ開先１３４に加え、選択欄１３３の選択候補１３５として、前進法、後退法、対称法、全長多層法、飛石法、ブロック法が示されており、太枠で囲まれた全長多層法が現在選択されている。各選択候補は溶接方法データベース７７に事前に登録されている。
さらに、溶着法の選択画面１３０には、前画面（図１６の画面）に戻る矢印ボタン１３１と、次画面（図１８の画面）に進む矢印ボタン１３２とが含まれている。
【００３５】
Ｓ１１４として、溶接方法指定部７２は、Ｓ１１３で選択された溶着法がビード分割を要するか否かを判定する。
前進法、全長多層法などのビード分割が不要な溶着法の場合（Ｓ１１４，Ｎｏ）、１パスの長さ＝１ビードの長さであるので、溶接記録生成装置７が溶接作業から直接計測した１パス分の溶接トーチ３の移動量を、そのまま溶接したビードの長さとして自動入力することができる（Ｓ１１６）。
または、溶接方法指定部７２は、作業データベース７６の（ａ）溶接作業内容から読み込んだ溶接部材の全長（図８ではＹ方向の長さ）を、そのまま溶接したビードの長さとして自動入力してもよい。
これにより、ビードの長さを溶接作業者が手入力するために溶接作業を中断する時間を省略でき、作業効率が向上する。
【００３６】
後退法、対称法、飛石法、ブロック法などのビード分割を要する溶着法の場合（Ｓ１１４，Ｙｅｓ）、以下のいずれかの方法により分割された各ビードの長さを手動で入力させる（Ｓ１１５）。
・ビードを等分割する場合、溶接方法指定部７２は、作業データベース７６の（ａ）溶接作業内容から読み込んだ溶接部材の全長（例えば30cm）を、手動で入力された分割数（例えば３分割）で除算することで、分割されたビードの長さ（例えば10cm）を求める。
・ビードを等分割しない場合、溶接方法指定部７２は、分割された個々のビードの長さ（例えば5cm,20cm,5cm）を手動で入力させる。
【００３７】
以上、図１３を参照して、溶接前の準備について説明した。
さらに、溶接作業者は、溶接直前には、作業者端末６の表示画面を介して、使用予定の溶接機１の番号を選択するとともに、その溶接機１の設定情報を溶接機１および溶接記録生成装置７に入力する。設定情報は、例えば、作業データベース７６の（ｃ）溶接施工データシートで規定される溶接条件の最大値と最小値の範囲内になるような溶接の電流値、電圧値などである。
【００３８】
図１４は、図１３から続く溶接処理を示すフローチャートである。このフローチャートでは、層数を示すカウンタ変数ｎと、パス数を示すカウンタ変数ｍとを用いて説明する。
Ｓ２０１として、溶接記録部７３は、ｎ＝１層目、ｍ＝１パス目から記録を開始する。図１１で示したように、開先の横幅は中央から遠ざかるほど（上下に離れるほど）徐々に広がるため、各層ごとにパス数は異なる。そこで、ｎ層目にパスがいくつ形成されるかを個別に入力する必要がある。例えば、図１１では、表１層目のパス数＝１、表２層目のパス数＝２、表３層目のパス数＝２、…となる。
【００３９】
図１８は、各層でのパス数の入力処理（Ｓ２１１）の画面図である。
溶接記録部７３は、溶接積層方法の入力画面１４０を作業者端末６に表示し、溶接作業者に溶接積層方法（パス数ｍ）を選択させる。
溶接積層方法の入力画面１４０には、入力欄１４３と、前画面（図１７の画面）に戻る矢印ボタン１４１と、次画面（図１９の画面）に進む矢印ボタン１４２とが含まれている。
【００４０】
入力欄１４３には、現在記録しているｎ層目の表示欄１４５と、現在選択している設定欄１４４と、ｍパス目の設定欄１４６とが含まれている。ｍパス目の設定欄１４６には、上から順に、太枠でハイライトされた現在の設定（図示ではｎ＝１層目のパスｍ）と、そのｍを手動で入力させるための「ｍの変更」ボタンと、そのｍを予想値から読み込むための「読み込み」ボタンとが含まれている。予想値は、事前に溶接方法データベース７７に登録されている。
なお、１層あたりのパス数ｍについて、溶接開先幅と関連しているので、任意パス数とするが、本実施形態では、パス数の最大値は９９とする。また、太枠内のハイライト箇所は、予想される積層パス数および積層順序が表示される。この表示により、溶接作業者は、これから行うｎ層目の溶接作業を把握できる。
【００４１】
設定欄１４４には、図１３の前準備処理で選択された「Ｘ開先、全長多層法」などの溶接設定に加え、現在記録しているＸ開先形状の表溶接または裏溶接を選択するボタンと（図１８では表溶接を選択中）、予熱・パス間温度についての計測結果の信号を温度計９から取り入れるためのボタンとが含まれている。
Ｓ２１２として、溶接記録部７３は、設定欄１４４の予熱・パス間温度ボタンの押下を契機に計測された予熱・パス間温度が、作業データベース７６の（ｃ）溶接施工データシートで規定される適切な温度範囲内か否かを確認する。Ｓ２１２で適切な温度範囲外であることが検出されたときには、溶接記録部７３は、溶接機１を介して溶接トーチ３への給電を遮断することで、アークを出さないようにする。そのため、溶接機１には、給電を遮断するための電気回路（安全回路）が組み込まれている。
【００４２】
以下、図１９〜図２２を参照して、ｎ層目、ｍパス目の溶接記録処理を順に説明する。
図１９は、ｎ＝１層目、ｍ＝１パス目の記録開始処理（Ｓ２１３）の画面図である。
溶接記録部７３は、溶接積層の記録画面１５０を作業者端末６に表示し、溶接作業者にｎ層目、ｍパス目の記録開始を指示させる。溶接積層の記録画面１５０には、入力欄１５３と、前画面（図１８の画面）に戻る矢印ボタン１５１と、次画面（図２０の画面）に進む矢印ボタン１５２とが含まれている。
入力欄１５３には、現在記録しているｎ層目ｍパス目の表示欄１５６と、現在選択している設定欄１５７と、記録開始ボタン１５４ａと、記録終了ボタン１５４ｂと、記録中の溶接データ表示欄１５５とが含まれている。設定欄１５７は、図１８の設定欄１４４の状態から予熱・パス間温度ボタンが現在の予熱・パス間温度の表示欄（○○℃）に置き換わっている。
溶接作業者は、記録開始ボタン１５４ａを押下してから（太枠で示すようにハイライトしてから）、ｎ層目ｍパス目の溶接を開始する。溶接データ表示欄１５５には、溶接機１の電流、電圧などの各計測値の瞬間値または平均値が表示される。
【００４３】
図２０は、１層目１パス目の記録終了処理（Ｓ２１４）の画面図である。
溶接作業者は、図１９の状態からｎ層目ｍパス目の溶接を終了した後に、記録終了ボタン１５４ｂを押下する。これにより、太線のハイライトが記録開始ボタン１５４ａから記録終了ボタン１５４ｂに遷移する。
なお、溶接データ表示欄１５５には、作業データベース７６の（ｃ）溶接施工データシートの内容（適切範囲）として、「適切入熱量」も併せて表示されている。
これにより、溶接作業者は、溶接データ表示欄１５５の内容から今回のパスの溶接が適切範囲内か否かを確認することができ、その確認結果を次のパスの溶接条件にフィードバックできる。このフィードバックにより、溶接不良を溶接途中の早い段階で発見することができ、良好な溶接品質が得られることで補修などのコストを抑制する。
【００４４】
Ｓ２１５として、溶接記録部７３は、以下の手順により溶接記録データ７８を計算し、その計算結果を溶接データ表示欄１５５に表示する。
溶接記録部７３は、記録開始処理（Ｓ２１３）〜記録終了処理（Ｓ２１４）までの１パス分のアークの発生時間を溶接時間として検出する。
ここで、溶接記録部７３は、溶接記録データ７８が記録されるアークの溶接時間を、実質的に溶接が可能な時間に絞り込んでもよい。例えば、以下に列挙する各時間は、不安定な時間（テストアーク時間）としてアークの溶接時間から除外してもよい。
・溶接開始のアップスロープ時間。
・溶接終了前のダウンスロープ時間。
・溶接終了前のクレータ処理時間。
・溶接トーチ３の異常動作中にアーク点弧がある場合、そのアーク点弧時間。なお、異常動作の推定処理として、溶接記録生成装置７は、専有回線から送信された溶接前後、溶接途中の加速度センサおよび角速度センサの変動情報から、溶接トーチ３の姿勢および異常動作を推定する。そして、溶接記録生成装置７は、推定した情報と溶接アークの点弧時間とを照合することで、アーク点弧時間を求める。
【００４５】
図２４は、図１９の状態から図２０の状態までの間に、不安定な時間において記録が停止されたときの画面図である。
記録画面１５０には、「記録停止中」表示１５４ｃが表示される。この停止中状態において、溶接作業者は、記録開始ボタン１５４ａの押下などの画面操作により、記録作業の停止状態と再開状態とを切り替えることもできる。これにより、溶接記録部７３は、溶接途中のテストアーク時間を算出できる。
【００４６】
溶接記録部７３は、検出した溶接時間と、Ｓ１１５またはＳ１１６で入力されたビードの長さとから、溶接速度を計算する。そして、溶接記録部７３は、以下の数式１により、溶接入熱量を計算する。
溶接入熱量（J／cm）＝電流[A]×電圧[V]×60／溶接速度[cm/min]    …（数式１）
【００４７】
溶接記録部７３は、以下に列挙するｎ層目、ｍパス目の溶接記録データ７８を、溶接記録生成装置７の記憶部に記録する。
・溶接機１が供給した電流、電圧の信号
・温度計９が計測した予熱・パス間温度
・Ｓ１１５またはＳ１１６で入力されたビードの長さ
・Ｓ２１５で溶接記録部７３が計算した溶接時間、溶接入熱量
・溶接部の板厚さ、積層の総積層数から平均値を用いて計算される、溶接積層パスの厚さ
【００４８】
以上、Ｓ２１２〜Ｓ２１５の処理により、１パス分の溶接継手の積層状況が記録される。
Ｓ２１６として、溶接記録部７３は、今回のｍパス目の溶接記録処理により、ｎ層目の全パスの処理が完了したか否かを判定する。ｎ層目で未処理のパスが残っている場合（Ｓ２１６，Ｎｏ）、溶接記録部７３は、未処理である次パス（ｍ＋１パス）目の溶接記録処理を行うため、処理をＳ２１２に戻す。
図２１および図２２は、１層目２パス目の記録処理（記録開始処理、記録終了処理）を示す。図１９および図２０と同様に、記録開始処理（Ｓ２１３）〜記録終了処理（Ｓ２１４）までの計測値と、計算値とがそれぞれ画面表示される。
【００４９】
なお、溶接作業者の休憩時間などにより、全層、全パスを一度に記録するのではなく、溶接作業途中で記録処理が中断されることもある。そのときには、溶接記録部７３は、中断直前の溶接記録データ７８を記録するとともに、中断再開時には溶接記録データ７８を読み込み、途中のｎ層目、ｍパス目から溶接を再開できるようにする。
つまり、溶接記録データ７８は、作業データベース７６の（ａ）溶接作業内容ごとに別々に記録される。溶接記録部７３は、製品名や継手番号などを手がかりに、中断再開時には該当する作業についての中断直前の溶接記録データ７８を読み込むことができる。
【００５０】
Ｓ２１７として、溶接記録部７３は、今回のｎ層目の溶接記録処理により、全層の溶接処理が完了したか否かを判定する。未処理の層目が残っている場合（Ｓ２１７，Ｎｏ）、溶接記録部７３は、未処理である次層（ｎ＋１層）目の溶接記録処理を行うため、処理をＳ２１１に戻す。
溶接が終了したとき（Ｓ２１７，Ｙｅｓ）、溶接記録部７３は、全層、全パスの記録された溶接記録データ７８を、溶接記録生成装置７からＵＳＢ（Universal Serial Bus）メモリ、ＳＤＣＡＲＤなどの記録媒体に出力する。溶接現場監督者および溶接技術管理者は、溶接記録生成装置７から無線ネットワーク１０を介して、または、記録媒体を自身のＰＣに読み込んで、溶接記録データ７８を確認できる。
【００５１】
図２３は、積層図データ７９の表示処理（Ｓ２２１）の画面図である。
積層図生成部７４は、溶接記録データ７８に対応する積層図データ７９を作成する。そのため、積層図生成部７４は、開先形状の選択処理（Ｓ１１２）で選択された開先（Ｘ開先）を先に描画し（図１０では２１９Ｌ，２１９Ｒ）、その開先空間２１３，２１４に対して、溶接記録データ７８の各層、各パスを識別番号付きで埋めていくことで、図１１のような積層図データ７９を作成する。つまり、溶接記録データ７８と積層図データ７９とは、同じ層の識別番号、同じパスの識別番号で対応付けられる。
積層図生成部７４は、作成した積層図データ７９を溶接積層の記録画面１６０として画面表示する。溶接積層の記録画面１６０には、入力欄１６３と、前画面（図２２の画面）に戻る矢印ボタン１６１と、次画面（図示省略したメインメニュー画面）に進む矢印ボタン１６２とが含まれている。
【００５２】
入力欄１６３には、開先全体の積層図データ７９の表示欄１６４と、表示欄１６４の説明欄１６５と、層ごとの積層図データ７９の表示欄１６６と、積層図データ７９の保存ボタン１６７とが含まれている。
説明欄１６５に示すように、溶接途中の３層５パス目終了時点の積層状況が、表示欄１６４に表示されている。なお、表示欄１６４の表示範囲は拡大操作または縮小操作により変更させてもよい。この表示欄１６４により、溶接作業者は溶接中または溶接後に、積層状況を把握できる。なお、裏溶接の裏はつり作業を行う場合では、裏溶接を実行する前に裏はつりを表示欄１６４に表示してもよい。
保存ボタン１６７の押下により、溶接記録データ７８と積層図データ７９とが対応付けられて溶接記録生成装置７に保存される。
【００５３】
以上、１回の溶接作業について図１３のＳ１１１〜図１４のＳ２２１を参照して説明した。ここで、組み合わせ溶接など複数回の溶接作業を行う場合は（Ｓ２２２，Ｙｅｓ）、次の溶接作業を行うために、処理をＳ１１１に戻してループさせる（端子Ｂ）。溶接記録データ７８および積層図データ７９の組み合わせデータは、１回の溶接作業ごと（１回のループごと）に別々のデータとして記録される。
なお、複数回の溶接作業を行う場合には、前回以前に行われた溶接条件を溶接機１に読み込ませた状態から、次回の溶接を開始することが望ましい。以下が、複数回の溶接作業を行う一例である。
・二つ溶接方法以上の組み合わせ溶接施工の場合
・同一溶接方法でも、二つ以上の溶接機１を使用する溶接施工の場合
・二人以上の溶接士による前後の溶接施工の場合
・同一製品の同一溶接継手に対して、二人以上の溶接士または二つ以上の溶接方法の組み合わせによる溶接施工を行う場合
【００５４】
以上説明した本実施形態では、以下の効果が得られる。
（効果１）入力作業の省力化。溶接記録生成装置７が溶接作業を記録することで、溶接作業を行う溶接作業者とは別の記録者を付近に配置させる必要がなくなる。さらに、溶接作業者は、図１９〜図２２で示したように、作業者端末６の表示画面から各パスの溶接開始、溶接終了のタイミングを入力するだけで、溶接中の各種パラメータが溶接記録データ７８として自動的に記録される。
また、このタイミングの入力も、画面のタッチだけでなく音声入力にも対応しているので、両手を溶接作業だけに活用でき、記録作業が溶接作業を阻害せずに済むので、全体的に溶接作業時間を短縮できる。
【００５５】
（効果２）溶接品質の監視。制御室内の溶接技術管理者は、溶接記録生成装置７の表示部７ｄ（図２０の溶接データ表示欄１５５）に表示された入熱量（実際の溶接施工条件）とその適切範囲（標準の溶接施工条件）とを見比べることで、現在行われている溶接作業が適切か否かを判定することができる。
これにより、高すぎる入熱量による割れの発生や、低すぎる入熱量による金属組織の性能劣化が発生する前に入熱量の異常状態を溶接作業者へフィードバックし、各施工条件制限範囲内での施工による品質を保証する。
【００５６】
（効果３）製品溶接部の健全性の証明。溶接記録部７３は、図１２に示すように、溶接電流・電圧、溶接速度、溶接施工パスの施工順序を溶接記録データ７８として記録する。また、溶接記録部７３は、多層盛溶接の溶接継手の記録の場合に、溶接時間、当該溶接時間に対する積層パス数、当該パスの溶接ビードの長さなどのデータを溶接記録データ７８として随時記録する。積層図生成部７４は、その溶接記録データ７８に対して作成した積層図データ７９を対応付ける。
これにより、例えば、溶接金属の中央部に割れを発見した場合、その中央部における層番号、パス番号を積層図データ７９から特定し、特定した層番号、パス番号の溶接記録だけを大量の溶接記録データ７８から絞り込んで容易にアクセスできる（トレーサビリティに優れる）。よって、アクセスした溶接記録データ７８をもとに、適性範囲内の溶接条件で溶接が行われたこと、つまり製品溶接部の健全性を書面で証明できる。そして、例えば、溶接作業そのものは適切だが、その後の地震発生により割れが発生したなどの欠陥への原因究明を効率的に行うことができる。
【００５７】
なお、本発明は前記した実施例に限定されるものではなく、さまざまな変形例が含まれる。例えば、前記した実施例は本発明を分かりやすく説明するために詳細に説明したものであり、必ずしも説明した全ての構成を備えるものに限定されるものではない。
また、ある実施例の構成の一部を他の実施例の構成に置き換えることが可能であり、また、ある実施例の構成に他の実施例の構成を加えることも可能である。
また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。
また、前記の各構成、機能などは、プロセッサがそれぞれの機能を実現するプログラムを解釈し、実行することによりソフトウェアで実現してもよい。
【００５８】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤ（Digital Versatile Disc）などの記録媒体に置くことができる。
また、制御線や情報線は説明上必要と考えられるものを示しており、製品上必ずしも全ての制御線や情報線を示しているとは限らない。実際にはほとんど全ての構成が相互に接続されていると考えてもよい。
さらに、各装置を繋ぐ通信手段は、無線ＬＡＮに限定せず、有線ＬＡＮやその他の通信手段に変更してもよい。
【符号の説明】
【００５９】
１      溶接機
１ｄ    操作パネル
２      製品
３      溶接トーチ
４      溶接条件コントローラ
５      ワイヤ送給装置
６      作業者端末
７      溶接記録生成装置
７ｄ    表示部
８      ＩＮ/ＯＵＴインタフェース
９      温度計
１０    無線ネットワーク
１１    溶接ビード
７１    作業確認部
７２    溶接方法指定部
７３    溶接記録部
７４    積層図生成部
７５    表示制御部
７６    作業データベース
７７    溶接方法データベース
７８    溶接記録データ
７９    積層図データ
【図１】
2020189304.tif 000003
【図２】
2020189304.tif 000004
【図３】
2020189304.tif 000005
【図４】
2020189304.tif 000006
【図５】
2020189304.tif 000007
【図６】
2020189304.tif 000008
【図７】
2020189304.tif 000009
【図８】
2020189304.tif 000010
【図９】
2020189304.tif 000011
【図１０】
2020189304.tif 000012
【図１１】
2020189304.tif 000013
【図１２】
2020189304.tif 000014
【図１３】
2020189304.tif 000015
【図１４】
2020189304.tif 000016
【図１５】
2020189304.tif 000017
【図１６】
2020189304.tif 000018
【図１７】
2020189304.tif 000019
【図１８】
2020189304.tif 000020
【図１９】
2020189304.tif 000021
【図２０】
2020189304.tif 000022
【図２１】
2020189304.tif 000023
【図２２】
2020189304.tif 000024
【図２３】
2020189304.tif 000025
【図２４】
2020189304.tif 000026